(57)【要約】      （修正有）【課題】部屋の天井部に発生するカビを抑える簡易な方法を提供する。【解決手段】部屋の上部の空間と人が行き交う下の空間とで、温度を変えて空調を行い天井付近の温度を高温にしてカビが生えにくい温湿度とする。具体的には、風洞２の中に送風機４と熱交換器３を取り付け、送風機の空気吸い込み側に有る風洞の開口部１と送風機の空気吹出し側にある風洞の開口部９とで、空気の状態を調節する対象の天井面の下１ｍ以内にある空気を挟む構造とし、空気の吹出し側の開口部９を空気の吸い込み側の開口部１の方向に向けて開口する。【選択図】図１
2019015488.tif 000002
【特許請求の範囲】
【請求項１】
風洞の中に送風機と熱交換器を取り付け、送風機の空気吸い込み側に有る風洞の開口部と送風機の空気吹出し側にある風洞の開口部とで、表面空気の状態を調節する対策の必要な天井部分の下１ｍ以内にある空気を挟む構造とし、空気の吹出し側の開口部を空気の吸い込み側の開口部の方向に向けて開口した空気循環装置
【請求項２】
空気の吹き出し側開口部をハニカム構造とした請求項１に記載の空気循環装置
【発明の詳細な説明】
【技術分野】
【０００１】    本発明は、部屋の天井部にカビが発生することを防ぐ装置に関する。
【背景技術】
【０００２】    スーパーマーケットなどの店舗では、冷蔵ショーケースを使った食品の低温保存が増加し、もれ出る冷気によって周囲の壁や天井が冷やされ、結露やカビが発生し問題となっていた。日本では外気の絶対湿度が高くなる夏期に顕著となり、カビのために天井が黒く汚れる問題が多発した。
店舗で冷蔵ショーケースが集中している付近は、冷房負荷が少ないため空調機の設置台数が少ない上に、低温のために冷房運転出来ないか、運転時間が短いため除湿されないという問題が発生する。【０００３】    冷蔵ショーケースが多用される店内では、冷蔵ショーケースの周囲の温度が下がり店内の他の場所に比べて低温となるために、付近の相対湿度が高くなる現象が起こる。
温度の異なる空気が混合すると、必ず相対湿度が高くなる。
低温でも相対湿度の高い空気は比重が軽くなり上昇気流を作るため天井面を冷却してしまう。
この様な問題に対していろいろな解決策が提案されてきた。【０００４】    スーパーマーケットなどの店舗では天井へのカビの発生を防ぐ目的と、室内の上下の温度差をなくす目的で天井扇と呼ばれる大型のプロペラファンを取り付ける事が行われてきた。これは天井付近の空気の流速を早くすることで、空気と天井表面の温度差を小さくして、結露やカビの発生を防ごうとするものであった。【０００５】    また横向きに空気を吹きだす天井扇（図３における８）もあった。直接天井下面６に沿った方向の風を吹出し、表面の空気流速を上げて空気と天井表面６の温度差を小さくして、結露やカビの発生を防ごうとするものであった。【０００６】    冷凍や冷蔵ショーケースでは絶えず冷たい空気が流れ出ており、店内の床付近に冷たい空気の溜まりを作り、通行人の足が冷やされ不快な感覚を与えていた。
また、冷やされた床面からの赤外線輻射が減少し、天井下面を低温にする原因ともなっていた。【０００７】    このような場合は、冷蔵ショーケース用冷凍機の圧縮機吐出側から、高温の冷媒ガスを通す配管を店内に引いて熱交換器に通し、店内空気との熱交換を行い高温で乾燥した空気として、床に向かって吹き出したり、床面の近くから低温の空気を吸い込んで熱交換し、高温の空気として店内の上部に向かって吹きだしたりする、ヒートリクレームという方法を使って店内の温度や湿度の対策を行ってきた。【０００８】    夏のお店では、直接の外気侵入が湿度上昇の原因となる。熱い外の空気が冷たい店内の空気と混ざる事で湿度が上昇し、さらに天井に沿って広がって行くため、店の奥まで湿気を送り込んでしまい、冷たい天井面に触れて結露を発生したりする。もちろんカビ発生の原因となる。【０００９】    このような店内への外気の侵入を防ぐ目的で、出入り口のドアを二重に設置する風除室を設けるが、前後のドアが同時に開くことも多く、十分な対策とはならない。【００１０】    店内に侵入してきた外気を出入り口に設置されたエアーカーテンで下側に吹き降ろして混合し、天井面に広がって行くのを防ぐという方法もあるが、侵入外気を無くすことはできない。また混合した状態の空気でも高温高湿度であれば上昇して、天井面に広がって行く。【００１１】    お店や部屋の吸排気のアンバランスが原因で、店内空気が外の空気より圧力が低い負圧という状態になっている場合も多い。
店内空気が負圧の状態ではいろいろな場所から外気が直接侵入して来てしまう。
必要な換気量を確保して負圧を解消するためには給気量を増やさなくてはならない。【００１２】    お店では、燃焼空気や人の呼気を確保するための換気量が必要で、給気と排気のバランスをとった換気装置が必要となる。直接の外気が給気されてくる場所にいる人は、
寒かったり暑かったりの環境で苦しむことになってしまう。給気の場所、方法はいろいろな方法が工夫されている。【００１３】    給気と換気を同時に解決するために、外気を空調機に通して調節してから給気する方法がある。この方法は暑過ぎたり、寒すぎたりする外気を、店内環境を保つのに必要な温度湿度にして供給する。また店内の気圧を陽圧に保つことができる。【００１４】    カビが生育する時間帯はお店が閉店した夜間である場合が多い。外気を空調機に通してから給気する方法は、２４時間運転する必要がある。
通常の空調機では、冷却された空気を再循環して温度湿度の環境を調節しているのに比べると、外気を冷却したり加熱したりするので、常時大きな熱負荷で運転する。
夏の外気と店内の温度湿度の差が大きい時間帯では１．４倍の電力を使う場合が出てくる。【００１５】    大きな除湿機を使って店内の湿度を下げる方法は有効ではあるが、別に電気工事をしなくてはならず、暑い夏に無駄な電力を消費してしまう。【００１６】    空調機による温度湿度の対策は、店内または室内全体を対象として行われている。
そのためカビが発生しやすい、冷凍冷蔵ショーケース付近の天井に対する対策としては不十分となってしまう。人もカビも同じような環境で生育が進むためだ。【００１７】    防カビ塗料を使った塗装によって凹凸の無い表面をつくりカビが付き難くする方法がある。数年は効果が持続する場合があるが、天井に結露が発生するような店内の条件では、埃が付着して後に乾燥し、こびり付いた汚れにカビが発生してしまう。空気中に漂う埃が栄養源になってしまうので、結局天井付近６が高い相対湿度に成らない様にしなくてはならない。【００１８】    天井照明が蛍光灯から高周波灯へ、そしてＬＥＤ照明へと変化したため、天井照明電力の大幅な低下に伴って天井下面の表面温度の低下が起こり、さらにカビの発生を助長してしまうことになった。【００１９】    天井下面の表面温度低下と相対湿度の上昇に対して、従来の天井扇８または、搬送ファン８では十分な対策とはならず、高い相対湿度の中で空気をかき混ぜるだけになり、カビの発生を抑えられない状況が発生してしまう。
【発明の概要】
【発明が解決しようとする課題】
【００２０】    従来の空調装置（図２）や冷蔵ショーケースからもれ出た冷気への以上で述べた対策は、天井のカビ６に集中した対策とはなっておらず、人が活動する生活環境７の改善が目的であった。
そのため影響が部屋７全体に及び、カビにとって良くない、カビが生きにくい温度湿度環境にはならない場合が多い。特に夜間は空調を止めてしまう場合も多いため高い相対湿度の環境が発生する。問題の解決策は人が暮らす環境とカビへの対策を分離することであった。
本発明は人の生活空間７への影響をさけて、部屋の天井下面６の空気の状態だけを変えて高温度にし、同一の部屋空間でありながら、人の生活する高さの空間と、天井下の空間６の環境を分けて、天井のカビ発生を抑えることを目的とする空調装置である。【００２１】  従来の空調装置やエアコンでは、空調された空気の吹出しを同じ装置の空気吸い込み口に向けることはしない。吹出し口を吸込み口の方向に向ける様な事はショートサーキットと言ってやってはいけない構造であって、何かの間違いでなってしまう場合は有っても、気流のショートサーキットを基本構造とするような空調装置はなかった。
本発明は空調装置の常識を打ち破り、従来の天井カビ対策とは違って、気流のショートサーキットを有効利用するという新しい発想によって成し遂げられたものである。
【課題を解決するための手段】
【００２２】    図１により本発明について説明をする。スーパーマーケットなどの店舗において天井にカビが発生する場所は予想することが出来る。お店の中の低温となる場所で冷蔵ショーケース１３の設置密度が高い場所、そして上部がオープンになった平型ショーケース１３の特に冷凍のショーケース１３の上部にある天井６は、店内の他の場所より低温となり黒カビなどが発生してしまう。
その様な対策の必要な天井部分６に空気を循環させ、気流をショートサーキットし再加熱する装置を設置する。加熱された気流は部屋の上部に溜まり、下の生活空間７の空気とはあまり交じり合わない。【００２３】    本発明を図４に沿って説明すれば、天井の上に設置した風洞２の中に、送風機４と熱交換器３を取り付け、送風機の空気吸い込み側に有る風洞の天井下空間に開いた開口部１と送風機の空気吹出し側にある風洞の天井下の空間にひらいた開口部９とで、空気の状態を調節する対象の天井面６の下１ｍ以内にある空気を挟む構造とし、空気の吹出し側の開口部９を空気の吸い込み側の開口部１の方向に向けて開口した空気循環装置である。【００２４】    天井には各種の器具が取り付けられているので、４０℃を越えないように温度調節器を設けて圧縮機吐出側のガスの流れを制御する。【００２５】    天井埋め込み形と呼ばれる空調装置では、部屋全体の温度湿度を調節するので人の生活環境としては温度ムラの無い快適空間が作られるが、その温度はカビにとっても生きやすい環境となるため、さらに除湿しなくてはならず無駄な電力を使ってしまう。
【発明の効果】
【００２６】    本発明による空気の加熱は人の生活空間７には影響せず、集中して加熱される天上部分６のカビの発生が抑えられる。冷凍機の吐出ガス熱を使うことで余分な電力を必要としない。
通常の空調機と違って夜間も無駄な電力を使わずに天井部だけの過熱を継続する。
【図面の簡単な説明】
【００２７】
【図１】  本発明の実施形態を示す設備の全体図
【図２】  従来の天井埋め込み形空調装置図
【図３】  従来の天井カビ対策の一形態としての天井扇取り付け図
【図４】  本発明の主要装置図
【図１】
2019015488.tif 000003
【図２】
2019015488.tif 000004
【図３】
2019015488.tif 000005
【図４】
2019015488.tif 000006